(57)【要約】【課題】作業者の手を煩わすことなく、運転を継続したままま排水することができる除湿機の排水装置を提供する。【解決手段】除湿機は、本体１内に圧縮機２、凝縮器３、蒸発器４及びキャピラリーチューブ５から成る冷凍サイクルを収容し、この冷凍サイクルの運転により生ずる蒸発器４表面の結露を受ける露受け皿６と、スライド着脱式に本体１に挿入され露受け皿６のドレン排水口７から落下するドレン水を貯留するメインドレンタンク９と、露受け皿６のドレン排水口７の直下に貯水部２２が位置するように吊架されたサブドレンタンク１２とを備えている。サブドレンタンク１２は、メインドレンタンク９の着脱に連動して、メインドレンタンク９背後のリブ２０に当接して回動する。メインドレンタンク９を本体１から取り外したときは、貯水部２２が縦を向く貯水姿勢を取って一時的にドレン水を受ける。【選択図】      図５
2004245474.tif 000002
【特許請求の範囲】
【請求項１】
結露を受ける露受け皿と、着脱式で装置本体に挿入され前記露受け皿のドレン排水口から落下するドレン水を貯留するメインドレンタンクと、前記ドレン排水口に係止したサブドレンタンクとを備えたことを特徴とする排水装置。
【請求項２】
結露を受ける露受け皿と、着脱式で装置本体に挿入され前記露受け皿のドレン排水口から落下するドレン水を貯留するメインドレンタンクと、前記露受け皿のドレン排水口の直下に貯水部が位置するように吊架されたサブドレンタンクとを備え、前記メインドレンタンクの着脱に連動して前記サブドレンタンクの貯水部が縦を向く貯水姿勢と、後方へ回動して貯水部が横を向く注水姿勢とを切り替えるようにしたことを特徴とする空気調和機の排水装置。
【請求項３】
装置本体内に圧縮機、凝縮器、蒸発器及びキャピラリーチューブから成る冷凍サイクルを収容し、この冷凍サイクルの運転により生ずる蒸発器表面の結露を受ける露受け皿と、スライド着脱式に装置本体に挿入され前記露受け皿のドレン排水口から落下するドレン水を貯留するメインドレンタンクと、前記露受け皿のドレン排水口の直下に貯水部が位置するように吊架されたサブドレンタンクとを備え、前記メインドレンタンクの着脱に連動して前記サブドレンタンクの貯水部が縦を向く貯水姿勢と、後方へ回動して貯水部が横を向く注水姿勢とを切り替えるようにしたことを特徴とする除湿機の排水装置。
【請求項４】
さらに、前記貯水姿勢を取ったサブドレンタンクが軽く載る高さに前記圧縮機の駆動を停止させるサブマイクロスイッチを備え、その貯水部に貯留されたドレン水の重みでサブドレンタンクが下降してサブマイクロスイッチに押圧の力を与え、所定大きさ以上の押圧の力によって前記サブマイクロスイッチが作動するようにしたことを特徴とする請求項３に記載の除湿機の排水装置。
【請求項５】
前記露受け皿から垂下して設けた棒状リブに回動軸を設け、前記サブドレンタンクに前記回動軸を挿入する孔を設け、前記回動軸をガイドして前記貯水姿勢を取ったサブドレンタンクが上下に動けるように前記孔を長く形成したことを特徴とする請求項４に記載の除湿機の排水装置。
【請求項６】
前記メインドレンタンクの背後に、着脱時に前記サブドレンタンクと当接するリブを設けたことを特徴とする請求項２〜５のいずれか一つに記載の除湿機の排水装置。
【発明の詳細な説明】
【０００１】
【発明の属する技術分野】
本発明は、空気調和機や除湿機の排水装置に関するものである。
【０００２】
【従来の技術】
特許文献１に開示された従来の局所冷房機の排水装置は、蒸発器の下方に設けたドレン受皿の排水口近傍に、排水口と接続した排水ホースの先端部を固定する固定具を設けた構成としている。
【０００３】
したがって、満水になったドレンタンクを取り出し、排水ホースの先端部をドレン受皿に設けた固定具に差し込み、排水ホースにＵ字型のトラップを形成することにより、排水所までドレンタンクを運んで排水する間でも、局所冷房機の運転を停止することなく、トラップに一時的にドレン水を溜めることができる。
【０００４】
【特許文献１】
特開平４−３４４０３５号公報  （第２−３頁、第１図）
【０００５】
【発明が解決しようとする課題】
しかしながら、この構成によると、ドレンタンクに溜まったドレン水を捨てに行くたびに、腰をかがめてドレン受皿の裏側を覗き込み、固定具の位置を確かめながら排水ホースの先端部を差し込むという面倒な作業が必要であった。また、ドレンタンクを戻す際も、トラップに溜まったドレン水がこぼれないように排水ホースをドレンタンクに差し込むために、同じような姿勢をもう一度とらねばならず、使用者の心身に掛かる負担が大きかった。
【０００６】
本発明は、上記の問題に鑑みてなされたものであり、使用者の手を煩わすことなく、運転を継続したまままドレンタンク内のドレン水を排水することができる排水装置を提供することを目的とする。
【０００７】
【課題を解決するための手段】
上記目的を達成するために本発明の排水装置は、結露を受ける露受け皿と、着脱式で装置本体に挿入され前記露受け皿のドレン排水口から落下するドレン水を貯留するメインドレンタンクと、前記ドレン排水口に係止したサブドレンタンクとを備えたことを特徴とする。
【０００８】
また、本発明の空気調和機の排水装置は、結露を受ける露受け皿と、着脱式で装置本体に挿入され前記露受け皿のドレン排水口から落下するドレン水を貯留するメインドレンタンクと、前記露受け皿のドレン排水口の直下に貯水部が位置するように吊架されたサブドレンタンクとを備え、前記メインドレンタンクの着脱に連動して前記サブドレンタンクの貯水部が縦を向く貯水姿勢と、後方へ回動して貯水部が横を向く注水姿勢とを切り替えるようにしたことを特徴とする。
【０００９】
この構成によると、排水のため、メインドレンタンクを装置本体から取り外すと、サブドレンタンクが貯水姿勢を取るため、その貯水部にドレン排水口から落下するドレン水が貯留される。排水を済ませ、再びメインドレンタンクを装置本体内に挿入してセットすると、サブドレンタンクが注水姿勢を取り、貯水部に溜まったドレン水がメインドレンタンク内に回収され、サブドレンタンクが空になる。
【００１０】
したがって、使用者は無理な姿勢を取ることなく空気調和機を運転したまま楽にメインドレンタンク内のドレン水を排水できる。
【００１１】
また、本発明の除湿機の排水装置は、装置本体内に圧縮機、凝縮器、蒸発器及びキャピラリーチューブから成る冷凍サイクルを収容し、この冷凍サイクルの運転により生ずる蒸発器表面の結露を受ける露受け皿と、スライド着脱式に装置本体に挿入され前記露受け皿のドレン排水口から落下するドレン水を貯留するメインドレンタンクと、前記露受け皿のドレン排水口の直下に貯水部が位置するように吊架されたサブドレンタンクとを備え、前記メインドレンタンクの着脱に連動して前記サブドレンタンクの貯水部が縦を向く貯水姿勢と、後方へ回動して貯水部が横を向く注水姿勢とを切り替えるようにしたことを特徴とする。
【００１２】
この構成によると、排水のため、メインドレンタンクを装置本体から取り外すと、サブドレンタンクが貯水姿勢を取るため、その貯水部にドレン排水口から落下するドレン水が貯留される。排水を済ませ、再びメインドレンタンクを装置本体内に挿入してセットすると、サブドレンタンクが注水姿勢を取り、貯水部に溜まったドレン水がメインドレンタンク内に回収され、サブドレンタンクが空になる。
【００１３】
したがって、使用者は無理な姿勢を取ることなく除湿機を運転したまま楽にメインドレンタンク内のドレン水を排水できる。
【００１４】
さらに、前記貯水姿勢を取ったサブドレンタンクが軽く載る高さに前記圧縮機の駆動を停止させるサブマイクロスイッチを備え、その貯水部に貯留されたドレン水の重みでサブドレンタンクが下降してサブマイクロスイッチに押圧の力を与え、所定大きさ以上の押圧の力によって前記サブマイクロスイッチが作動するようにしたことを特徴とする。
【００１５】
これにより、サブドレンタンク内に一定量のドレン水が溜まると、サブマイクロスイッチが作動して圧縮機が停止するので、ドレン水のオーバーフローが防止される。
【００１６】
この場合、重くなったサブドレンタンクを下降させやすくするため、前記露受け皿から垂下して設けた棒状リブに回動軸を設け、前記サブドレンタンクに前記回動軸を挿入する孔を設け、前記回動軸をガイドして前記貯水姿勢を取ったサブドレンタンクが上下に動けるように前記孔を長く形成するとよい。
【００１７】
また、サブドレンタンクの姿勢を切り替えやすくするため、前記メインドレンタンクの背後に、着脱時に前記サブドレンタンクと当接するリブを設けておくとよい。
【００１８】
【発明の実施の形態】
以下に本発明の実施形態を図面を参照して説明する。図１は本発明に係る除湿機の斜視図であり、図２はその側面断面図である。除湿機の本体１内には、圧縮機２、凝縮器３、蒸発器４、キャピラリーチューブ５から成る冷凍サイクルを収容している。
【００１９】
冷凍サイクルの下には、この冷凍サイクルの運転により生ずる蒸発器４表面の結露を受ける露受け皿６が設けられている。露受け皿６の底部から下に延びて、筒状のドレン排水口７が設けられている。ドレン排水口７の先は、露受け皿６のドレン水が最後の一滴まで落下しやすいように、斜めにカットされた形状をしている。
【００２０】
メインドレンタンク９は、スライド着脱式に本体１の前から露受け皿６下の収納スペース８に挿入される広口の容器であり、露受け皿６のドレン排水口７から落下するドレン水を貯留する。
【００２１】
図３は、図２における露受け皿６を矢印Ｘ方向から見た背面図である。ドレン排水口７のわずか手前には、所定の距離を隔てて一対のリブ１０、１０が露受け皿６の底面から一体に設けられており、各リブ１０の下端に凸設された回動軸１１にサブドレンタンク１２が吊架されている。
【００２２】
サブドレンタンク１２は、図４の背面斜視図に示すように、両サイドに上へ延びる一対の腕１３，１３を備えた箱型の容器であり、ドレン水の貯水部２２がドレン排水口７の直下に位置するように、腕１３の位置を手前に偏らせている。
【００２３】
各腕１３の対向する位置には、縦方向に細長い平孔１４を設けており、この平孔１４に内側からリブ１０の回動軸１１を差し込むことにより、回動軸１１周りに回動可能、かつ、平孔１４の長手方向にスライド可能にサブドレンタンク１２は取り付けられている。
【００２４】
図５は、メインドレンタンク内のドレン水排水前（ａ）と排水後（ｂ）の排水装置の側面図を示している。サブドレンタンク１２は、メインドレンタンク９の着脱に連動してサブドレンタンク１２の貯水部２２が縦を向く貯水姿勢（点線位置）と、後方へ回動して貯水部２２が横を向く注水姿勢（実線位置）とが切り替わるようになっている。
【００２５】
収納スペース８の底面には、リブ１０のほぼ真下のある高さに、圧縮機２の駆動を停止させるサブマイクロスイッチ１５を固定するための台座１６が設けられている。メインドレンタンク９は、収納スペース８への装着時にサブマイクロスイッチ１５と台座１６を回避しうるように、背後が部分的に凹所１７を有した形状に形成されている。そして、メインドレンタンク９の開口部１８は、後縁が斜面１９になっており、その斜面１９から連続して開口部１８の縁線と水平面一になるように、平坦なリブ２０が外側に延びるように形成されている。また、リブ２０上には突起２１が設けられている。
【００２６】
以上の構成で、動作について説明する。図５（ａ）のように、除湿機の運転中、サブドレンタンク１２は、メインドレンタンク９背後のリブ２０上の突起２１に持ち上げられるかたちで、貯水部２２が横を向く注水姿勢を取っている。ドレン排水口７から落下する水は、サブドレンタンク１２の腕１３，１３間の間隙を通過して、その下のメインドレンタンク９内に貯留される。したがって、サブドレンタンク１２の貯水部の２２には水が貯留されることはない。
【００２７】
そして、メインドレンタンク９内のドレン水が満水に達すると、メインドレンタンク９に付随のフロート２４によってスイッチレバー２５がメインマイクロスイッチ２６を作動させ、圧縮機２の駆動が停止する。これについては、従来の除湿機となんら変わらないメカニズムである。
【００２８】
本発明は、メインドレンタンク９内のドレン水が満水に達する前、すなわち、メインマイクロスイッチ２６が作動する前に、排水のために、メインドレンタンク９を本体１から取り出しても、圧縮機２は運転したままとなり、従来以上に除湿効率を上げることができるものである。この場合の動作について、以下に説明する。
【００２９】
まず、メインドレンタンク９を手前にスライドさせるようにして図５（ａ）の矢印Ａのように引くと、同図矢印Ｂのように、サブドレンタンク１２が回動し、貯水部２２が縦を向く貯水姿勢を取る。このとき、サブドレンタンク１２はサブマイクロスイッチ１５上に軽く載った状態となっているが、サブマイクロスイッチ１５の接点を押すだけの重さがないので、サブマイクロスイッチ１５を作動させることはない。なお、メインドレンタンク９は外からドレン水の量が見えるように、正面の一部を透明とすれば、排水のタイミングが判りやすくなってよい。
【００３０】
図６は、サブドレンタンク１２が貯水姿勢を取った状態の排水装置の側面図である。サブドレンタンク１２の貯水部２２にドレン排水口７から落下したドレン水が一時的に貯留されていき、同図太実線位置にあったサブドレンタンク１２は、貯水２３の重みで腕１３の平孔１４をガイドとして回動軸１１がスライドする格好で同図のハッチングを施した一点鎖線位置まで下降する。この結果、サブマイクロスイッチ１５に押圧の力を与えるが、ドレン水がそれほど貯留されていないときは、依然としてサブマイクロスイッチ１５の接点を押すだけの重さがなく、圧縮機２の運転が継続される。
【００３１】
しかし、この状態が長く続くと、貯水２３の重みがさらに増し、サブマイクロスイッチ１５に所定大きさ以上の押圧の力が与えられると、サブマイクロスイッチ１５が作動し、圧縮機２が停止する。これにより、ドレン水がサブドレンタンク１２からオーバーフローするのを防ぐことができる。
【００３２】
そして、ドレン水を排水し、メインドレンタンク９を図５（ｂ）の矢印Ｃのようにスライドする形で収納スペース８に戻し、再びセットすると、サブドレンタンク１２は奥へ同図矢印Ｄのように奥へ回動して注水姿勢を取り、貯水部２２に溜まったドレン水がメインドレンタンク９内に回収され、サブドレンタンク１２は空になる。このとき、ドレン水はメインドレンタンク９の斜面１９に落ちるため、飛び散ることなく注ぐことができる。また、サブドレンタンク１２はリブ２０上の突起２１に乗り上げ、注ぎ口が低くなるようにお尻が持ち上げられるので、最後の一滴までドレン水を注水することができる。
【００３３】
以上、除湿機を例に説明したが、本発明は、同様に構成された排水装置を備える空気調和機にも適用が可能である。
【００３４】
【発明の効果】
以上説明したように本発明では、メインドレンタンクを装置本体から取り外す動作に連動してサブドレンタンクをセットし、露受け皿のドレン排水口から落下するドレン水をサブドレンタンクで一時的に受けることができるので、除湿機を運転させたままメインドレンタンク内のドレン水を排水することができる。
【００３５】
また、サブドレンタンクの重みを検知して作動するサブマイクロスイッチによって圧縮機の駆動を停止するので、ドレン水のオーバーフローを防止することができる。
【図面の簡単な説明】
【図１】本発明に係る除湿機の一例の斜視図である。
【図２】その側面断面図である。
【図３】図２における露受け皿を矢印Ｘ方向から見た背面図である。
【図４】サブドレンタンクの背面斜視図である。
【図５】除湿機の排水装置のメインドレンタンク内のドレン水排水前（ａ）と排水後（ｂ）の側面図を示している。
【図６】サブドレンタンクが貯水姿勢を取った状態の排水装置の側面図である。
【符号の説明】
１  除湿機本体
２  圧縮機
３  凝縮器
４  蒸発器
５  キャピラリーチューブ
６  露受け皿
７  ドレン排水口
９  メインドレンタンク
１０  リブ
１１  回動軸
１２  サブドレンタンク
２２  貯水部
１５  サブマイクロスイッチ
２０  リブ
２１  突起
【図１】
2004245474.tif 000003
【図２】
2004245474.tif 000004
【図３】
2004245474.tif 000005
【図４】
2004245474.tif 000006
【図５】
2004245474.tif 000007
【図６】
2004245474.tif 000008